(57)【特許請求の範囲】
【請求項１】
少なくとも一部に改質触媒が充填されており、該改質触媒に炭化水素又は脂肪族アルコールからなる群から選択される少なくとも一種の改質原料と水蒸気との混合物を接触させ改質反応により水素を主成分とする改質ガスを生成する改質部と、少なくとも一部に酸化触媒が充填されており、前記改質原料又は改質ガスの一部を酸化して熱を発生させる酸化発熱部とを備え、前記改質部が前記酸化発熱部の上流側に配置されており、
前記改質部及び前記酸化発熱部は、それぞれ円筒形状を有し、該改質部が半径方向内側に位置する内側改質層と半径方向外側に位置する外側改質層との２層からなると共に、該内側改質層と該外側改質層との間に前記酸化発熱部が配置されており、
前記酸化発熱部に酸化性ガスを供給するための手段として、一端が前記酸化発熱部まで延在する酸化性ガス導入ラインが設置されており、
更に、前記酸化発熱部に酸化反応により発熱する物質を供給するための手段として、一端が前記酸化発熱部まで延在する酸化発熱物質導入ラインが設置されていることを特徴とする酸化自己熱型改質装置。
【請求項２】
請求項１に記載の酸化自己熱型改質装置と、該酸化自己熱型改質装置の下流側に設置された固体酸化物形燃料電池とを備える固体酸化物形燃料電池システム。
【発明の詳細な説明】
【技術分野】
【０００１】
本発明は、酸化自己熱型改質装置及びそれを備える固体酸化物形燃料電池システムに関し、特には、起動時において改質触媒の温度を短時間で効果的に昇温することが可能な酸化自己熱型改質装置と、該酸化自己熱型改質装置を備え、酸化自己熱型改質装置の起動時においても、アノード電極側を還元状態に維持することが可能な固体酸化物形燃料電池システムに関するものである。
【背景技術】
【０００２】
通常、改質器を具え、該改質器に改質原料と水蒸気との混合物を供給し改質反応させて水素を主成分とする改質ガスを生成させる改質装置においては、改質器に改質原料を供給する前に、改質原料を改質できる温度まで改質器内部を昇温起動しておく必要がある。
【０００３】
例えば、水蒸気改質法を採用した改質器では加熱バーナー等を組み合わせ、改質原料を改質器外部で燃焼させて改質器を昇温するのが一般的である（例えば、特許文献１参照）。一方、酸化自己熱型改質装置では外熱バーナー等を持たないため、従来は電気ヒーター等で改質器を昇温したり、改質原料の燃焼ガスを改質器内部に供給し昇温起動したりしていた。しかしながら、電気ヒーター等を用いると昇温に時間を要し、改質器の容器外面が部分的に過熱される恐れがある。また、改質原料の燃焼ガスを改質器内部に送るためには特別な燃焼器が必要となり、コスト高となり、装置も複雑となる。更に、外部燃焼器から燃焼ガスを送るとガスを送る配管等がエネルギーロスの原因となりガスの温度が低下し、改質温度まで改質器を加熱するには長時間を要していた。
【０００４】
また、改質器にメタノール等の改質燃料と空気等の酸化剤を供給して触媒による部分酸化反応を起こさせ、このときの反応熱により改質器を昇温させるとともに、部分酸化反応で生成したガスを更に燃焼器で燃焼させ改質器と同時に燃焼器の起動を行い、改質システムを短時間で昇温及び起動する方法も提案されている（特許文献２参照）。しかしながら、この方法では、起動時においては改質ガスを燃焼器に供給し、一方、定常運転時においては改質ガスを燃料電池スタックへ供給しており、高温に耐えるガス流路の切替バルブやそのための制御系などが必要となる。
【０００５】
【特許文献１】特開平１１−８６８９３号公報
【特許文献２】特開２００１−２２９９５３号公報
【発明の開示】
【発明が解決しようとする課題】
【０００６】
そこで、本発明の第一の目的は、上記従来技術の問題を解決し、改質器内部の改質触媒の温度を改質原料の改質が可能な温度まで短時間で効果的に昇温することが可能な酸化自己熱型改質装置を提供することにある。また、本発明の第二の目的は、酸化自己熱型改質装置の下流側に固体酸化物形燃料電池を組み合わせた燃料電池システムにおいて、固体酸化物形燃料電池の昇温起動時において、アノード電極側を還元状態にする必要のある温度域（通常４００℃以上）において、アノード電極に還元性ガスを供給することが可能な固体酸化物形燃料電池システムを提供することにある。
【課題を解決するための手段】
【０００７】
本発明者らは、上記目的を達成するために鋭意検討した結果、改質部と酸化発熱部とを有する酸化自己熱型改質装置において、酸化反応により発熱する物質（酸化発熱物質ということがある）を酸化発熱部に導入するためのラインと、酸素を含む酸化性ガスを酸化発熱部に導入するためのラインとを別個に設置し、それらの一端を酸化発熱部まで延在させ、該酸化発熱部において、酸化反応により発熱する物質と酸素を含む酸化性ガスとで部分酸化反応を行わせて水素及び／又は一酸化炭素を含むガスを生成及び／又は残存させ、該部分酸化反応で発生する熱により改質部を改質反応が可能となる温度以上に昇温することで、短時間で効果的に酸化自己熱型改質装置を昇温起動できる上、生成及び／又は残存させた水素及び／又は一酸化炭素を含むガスを固体酸化物形燃料電池のアノード電極側に供給することで、アノード電極側を還元雰囲気に維持することが可能となり、その結果として、固体酸化物形燃料電池システムの性能劣化を抑制できることを見出し、本発明を完成させるに至った。
【０００８】
即ち、本発明の酸化自己熱型改質装置は、少なくとも一部に改質触媒が充填されており、該改質触媒に炭化水素又は脂肪族アルコールからなる群から選択される少なくとも一種の改質原料と水蒸気との混合物を接触させ改質反応により水素を主成分とする改質ガスを生成する改質部と、少なくとも一部に酸化触媒が充填されており、前記改質原料又は改質ガスの一部を酸化して熱を発生させる酸化発熱部とを備え、前記改質部が前記酸化発熱部の上流側に配置されており、
前記改質部及び前記酸化発熱部は、それぞれ円筒形状を有し、該改質部が半径方向内側に位置する内側改質層と半径方向外側に位置する外側改質層との２層からなると共に、該内側改質層と該外側改質層との間に前記酸化発熱部が配置されており、
前記酸化発熱部に酸化性ガスを供給するための手段として、一端が前記酸化発熱部まで延在する酸化性ガス導入ラインが設置されており、
更に、前記酸化発熱部に酸化反応により発熱する物質を供給するための手段として、一端が前記酸化発熱部まで延在する酸化発熱物質導入ラインが設置されていることを特徴とする。
【０００９】
また、本発明の固体酸化物形燃料電池システムは、上記の酸化自己熱型改質装置と、該酸化自己熱型改質装置の下流側に設置された固体酸化物形燃料電池とを備えることを特徴とする。
【発明の効果】
【００１０】
本発明の酸化自己熱型改質装置によれば、起動時において、酸化自己熱型改質装置の酸化発熱部に酸化反応により発熱する物質と酸素を含む酸化性ガスとを導入して、その酸化発熱により改質原料と水蒸気との混合物の改質反応が可能となる温度以上に改質部を昇温することにより、外熱ヒーターなどを用いることなく、また酸化自己熱型改質装置内の触媒にダメージを与えることなく、短時間で酸化自己熱型改質装置を起動することが可能となる。
【００１１】
また、酸化自己熱型改質装置と固体酸化物形燃料電池とを備える固体酸化物形燃料電池システムにおいて、起動時において、前記酸化自己熱型改質装置での反応ガス中に水素及び／又は一酸化炭素を含むガスが生成及び／又は残存する条件で部分酸化反応を行わせることにより、水素及び／又は一酸化炭素を含む還元性ガスを固体酸化物形燃料電池のアノード電極側に供給することが可能となり、また、固体酸化物形燃料電池の昇温起動時においてアノード電極側を還元雰囲気に維持することが可能となり、その結果として、固体酸化物形燃料電池システムの性能劣化を抑制することができる。
【発明を実施するための最良の形態】
【００１２】
以下に、図１を参照しながら本発明の実施形態を詳細に説明する。図１は、本発明の酸化自己熱型改質装置を備えた固体酸化物形燃料電池システムの一例の概略図である。
【００１３】
図１に示す固体酸化物形燃料電池システムは、酸化自己熱型改質装置１と、その下流側に設置された固体酸化物形燃料電池２とを備える。本発明の酸化自己熱型改質装置は、少なくとも一部に改質触媒が充填されており、該改質触媒に炭化水素又は脂肪族アルコールからなる群から選択される少なくとも一種の改質原料と水蒸気との混合物を接触させ改質反応により水素を主成分とする改質ガスを生成する改質部１Ａと、少なくとも一部に酸化触媒が充填されており、前記改質原料又は改質ガスの一部を酸化して熱を発生させるための酸化発熱部１Ｂとを備え、ここで、前記改質部１Ａは前記酸化発熱部１Ｂの上流側に配置されている。
【００１４】
上記改質部１Ａの少なくとも一部には、改質触媒が充填され、該改質触媒に炭化水素及び脂肪族アルコールからなる群から選択される少なくとも一種の改質原料と水蒸気との混合物を接触させることで、改質反応によって水素を主成分とする改質ガスが製造される。また、酸化発熱部１Ｂの少なくとも一部には、酸化触媒が充填されており、上記改質原料又は上記改質ガスの一部が酸化されて熱が発生する。
【００１５】
一方、本発明の固体酸化物形燃料電池システムの固体酸化物形燃料電池は、特に限定されるものではなく、公知の構造を持った固体酸化物形燃料電池を採用することができる。なお、通常、固体酸化物形燃料電池２は、複数のセルを積層及び／又は連結して構成されるものが一般的である。
【００１６】
また、本発明の固体酸化物形燃料電池は、改質部１Ａに原料を供給するための手段として、原料導入ライン３が設置されていることに加え、酸化発熱部１Ｂに酸化性ガスを供給するための手段として、一端が酸化発熱部１Ｂまで延在する酸化性ガス導入ライン４が設置されている。そして、通常、改質反応時は原料導入ライン３から炭化水素及び脂肪族アルコールからなる群から選択される少なくとも一種の改質原料と水蒸気を改質部１Ａに供給し、また、酸化性ガス導入ライン４から酸化性ガス、特には空気を酸化発熱部１Ｂに導入し、改質部１Ａにて改質反応を、酸化発熱部１Ｂにて部分酸化反応を行い、生成した改質ガスをアノード燃料導入ライン５を介して固体酸化物形燃料電池２のアノード電極へ供給する。このとき、カソード空気導入ライン６から空気を固体酸化物形燃料電池２のカソード電極へ供給し、固体酸化物形燃料電池２で電気化学的に発電を行う。この発電には、通常固体酸化物形燃料電池２が７００℃から１０００℃に維持されている必要がある。なお、アノード電極へ供給されたものの発電に寄与しなかった水素や一酸化炭素や窒素及び発電反応で生成した水や二酸化炭素は、アノード排ガス出口７から排出され、一方、カソード排ガス出口８からは、発電に寄与しなかった空気中の窒素と残留酸素が排出される。
【００１７】
ここで、本発明の酸化自己熱型改質装置においては、上述のように酸化発熱部１Ｂに酸化性ガスを供給するための手段として、一端が酸化発熱部１Ｂまで延在する酸化性ガス導入ライン４が設置されていることに加え、更に、酸化発熱部１Ｂに酸化反応により発熱する物質を供給するための手段として、一端が酸化発熱１Ｂ部まで延在する酸化発熱物質導入ライン９が設置されている。そのため、本発明の酸化自己熱型改質装置においては、起動時において、酸化発熱物質導入ライン９から酸化反応により発熱する物質を導入すると共に、酸化性ガス導入ライン４から酸素を含む酸化性ガスを導入して、部分酸化反応を行わせることで、改質部１Ａ内部の改質触媒の温度が改質原料を改質可能な温度以上になるまで、短時間で効果的に酸化自己熱型改質装置１を昇温起動することができる。なお、目標とする改質部１Ａ内部の改質触媒の温度は、改質原料に依存し、特に限定されるものではない。
【００１８】
上記酸化反応により発熱する物質としては、水素及び／又は一酸化炭素を含むガスや、炭化水素及び／又は脂肪族アルコール等が好ましく、ここで、炭化水素としては、メタン、エタン、プロパン、ブタン、ＬＰガス、天然ガス、都市ガス等のガス、軽油、ガソリン、ナフサ、灯油等の液体燃料を用いることができ、脂肪族アルコールとしては、メタノール、エタノール等を用いることができる。これらの中でも、本発明では、常温でガス状の物質、より具体的には、水素及び／又は一酸化炭素を含むガスや、炭素数の小さい炭化水素、即ち、メタン、エタン、プロパン、ＬＰガス、天然ガス、都市ガス等が好ましい。また、酸化発熱物質導入ライン９の前段に改質装置を設けて、前記炭化水素及び脂肪族アルコールからなる群から選択される少なくとも一種を、一旦改質した後に導入することも可能であり、この場合は、常温で液体の物質も好適に使用できる。なお、常温でガス状の物質を改質した後に、酸化発熱物質導入ライン９から導入することも勿論可能である。
【００１９】
一方、酸化性ガス導入ライン４から導入する酸素を含む酸化性ガスとしては、純酸素ガスも使用可能であるが、コスト等の観点から空気が好適である。
【００２０】
ここで、酸化発熱物質と酸化性ガスの導入量は適宜変更可能であるが、アノード燃料導入ライン５を介して固体酸化物形燃料電池２へ導入されるガス中、すなわち酸化自己熱型改質装置内部での部分酸化反応後のガス中に水素や一酸化炭素等の還元性ガスが存在する必要がある。なお、酸化反応により発熱する物質が水素及び／又は一酸化炭素を含む場合は、完全酸化させることなく酸化反応を部分的に行って水素及び／又は一酸化炭素を残存させ、一方、酸化反応により発熱する物質が水素及び／又は一酸化炭素を含まない場合は、部分酸化反応で水素及び／又は一酸化炭素を生成させる。
【００２１】
部分酸化反応後のガス中の水素及び／又は一酸化炭素の総含有量は、部分酸化反応後のガスが還元性の状態となる量であれば特に限定されるものではないが、通常、０.５体積％以上が好ましい。部分酸化反応後のガス中の水素及び／又は一酸化炭素の総含有量が少なすぎると固体酸化物形燃料電池のアノード電極全体に還元性ガスが行き届かなくなり、部分的に電極が酸化する恐れがある。また、酸化自己熱型改質装置の起動時間短縮のためには、酸化触媒の反応性などを考慮した上で、極力短時間で多くの酸素を消費し、部分酸化の発熱量が多くなるように反応を進めることが好ましい。
【００２２】
次に、本発明の酸化自己熱型改質装置を、図２〜４を参照しながら更に詳細に説明する。図２は、本発明の酸化自己熱型改質装置の好適例の概略図であり、図３は、図２のIII−III線に沿う断面図であり、図４は、図２のIV−IV線に沿う断面図である。この酸化自己熱型改質装置は、全体として円筒形状を有しており、各要素は、環状に形成され且つ同心円状に配置されている。
【００２３】
図示例の酸化自己熱型改質装置１０は、改質層１１と、酸化発熱層１２とを備え、改質層１１が酸化発熱層１２よりも上流側に位置している。また、改質層１１及び酸化発熱層１２は、それぞれ円筒形状を有し、改質層１１が半径方向内側に位置する内側改質層１１Ａと半径方向外側に位置する外側改質層１１Ｂとの２層からなると共に、該内側改質層１１Ａと外側改質層１１Ｂとの間に酸化発熱層１２が配置されており、半径方向内側から内側改質層１１Ａ、酸化発熱層１２、外側改質層１１Ｂの順に配置された３重円管構造をなしている。
【００２４】
ここで、改質層１１の少なくとも一部には、改質触媒が充填され、また、酸化発熱層１２の少なくとも一部には、酸化触媒が充填される。改質触媒としては、従来改質用に用いられている触媒を用いることができ、例えば、アルミナ、シリカ、ジルコニア等の担体に、Ｒｕ、Ｎｉ、Ｗ、Ｃｏ、Ｒｈ、Ｐｔを単独または複数で担持したものが用いられる。これらの中でも、特に改質原料として灯油を選択した場合は、Ｒｕを担持した触媒が好ましい。Ｒｕを担持した触媒は、一般に耐酸化性が低いものの、炭素数の多い液体燃料の改質特性に優れる。一方、酸化触媒としては、高温で劣化しにくいＰｔ、Ｐｄ、Ｒｈ等を担持した触媒が好ましい。
【００２５】
改質層１１及び酸化発熱層１２は、酸化自己熱型改質装置１０の内筒１３及び外筒１４、並びに内筒１３及び外筒１４の間に位置する２枚の管状隔壁１５（半径方向内側の隔壁１５Ａと半径方向外側の隔壁１５Ｂ）とによって隔てられており、内筒１３と半径方向内側の隔壁１５Ａとの間の空間が内側改質層１１Ａをなし、半径方向内側の隔壁１５Ａと半径方向外側の隔壁１５Ｂとの間の空間が酸化発熱層１２をなし、半径方向外側の隔壁１５Ｂと外筒１４との間の空間が外側改質層１１Ｂをなしている。図３に詳しく示すように、内筒１３、半径方向内側の隔壁１５Ａ、半径方向外側の隔壁１５Ｂ、及び外筒１４は、環状で且つ同心円状に配置された４重円管構造をなしており、その間にそれぞれ位置する内側改質層１１Ａ、酸化発熱層１２、及び外側改質層１１Ｂが３重円管構造をなしている。
【００２６】
また、図２に示す酸化自己熱型改質装置１０は、内側改質層１１Ａ及び外側改質層１１Ｂの双方に原料を供給するための原料導入管１６と、酸化発熱層１２からの改質ガスを排出するための改質ガス排出管１７とが、外筒１４の下部に連結されている。原料導入管１６が連結される位置より上部で且つ内側改質層１１Ａ、酸化発熱層１２、外側改質層１１Ｂの下部には、仕切り受け１８Ａ，１８Ｂ，１８Ｃがそれぞれ配設されており、該仕切り受け１８Ａ，１８Ｂ，１８Ｃは、これら各層に充填される触媒等の落下を防止しつつ、炭化水素又は脂肪族アルコールと水蒸気との混合物並びに改質ガスの通過を可能とする。また、原料導入管１６が連結される位置より下部で且つ改質ガス排出管１７が連結される位置より上部には、隔壁１９が配設されており、該隔壁１９には、酸化発熱層１２に連通する開口２０が設けられている。
【００２７】
更に、図示例の酸化自己熱型改質装置１０は、外筒１４の上端部を貫通して酸化発熱層１２まで至る酸化性ガス導入ライン２１を備え、該酸化性ガス導入ライン２１の先端には、管状リング２２が設置されている。また、該管状リング２２には、図４に示すように、酸化性ガス噴出し口２３が複数設けられている。
【００２８】
同様に、図示例の酸化自己熱型改質装置１０は、外筒１４の上端部を貫通して酸化発熱層１２まで至る酸化発熱物質導入ライン２４を備え、該酸化発熱物質導入ライン２４の先端にも、管状リング２５が設置されている。また、該管状リング２５にも、図４に示すように、酸化発熱物質噴出し口２６が複数設けられている。
【００２９】
定常運転時においては、図２中の原料導入管１６から原料ガス流路２７に導入された水蒸気を含む改質原料は、仕切り受け１８Ａ，１８Ｃを通過して、内側改質層１１Ａ及び外側改質層１１Ｂをアップフローで均一に流れつつ改質され、水素を主成分とする改質ガスとなる。この時、改質に要する熱は、酸化発熱層１２で起こる酸化発熱による顕熱が、隔壁１５Ａ，１５Ｂを経て内側改質層１１Ａ及び外側改質層１１Ｂへ伝達されることによって賄われる。
【００３０】
酸化自己熱型改質装置１０に導入された改質原料は、内側改質層１１Ａ及び外側改質層１１Ｂで一部又は完全に改質され、水素を主成分とする改質ガスとなって、改質ガス流路２８に入る。この時のＣ１転化率は、改質原料、運転条件によっても異なるが、通常９０％以上である。
【００３１】
更に、改質ガスは、リターンしてダウンフローで酸化発熱層１２に入る。該酸化発熱層１２には、上述のように、酸化性ガスを供給するための手段として、酸化性ガス導入ライン２１が連結されており、該酸化性ガス導入ライン２１の先端には、酸化性ガス噴出し口２３を複数設けた管状リング２２が設置されている。改質ガスの一部を酸化して熱を発生させるための酸化性ガスは、酸化性ガス導入ライン２１を通って、管状リング２２の複数の酸化性ガス噴出し口２３から噴出される。ここで、使用する酸化性ガスの種類としては、純酸素を使用することも可能であるが、一般的にはコストの観点から空気を使用することが好ましい。
【００３２】
酸化発熱層１２では、内側改質層１１Ａ及び外側改質層１１Ｂでの吸熱を補うために、酸化発熱層１２に導入された改質ガス中の水素、メタン等と酸化性ガスとの酸化反応（発熱反応）を行うことが必須であり、該酸化反応は、酸化触媒により促進される。
【００３３】
上記酸化発熱層１２には、第一に、酸化触媒と改質触媒との混合物を充填することが可能である。ここで、酸化発熱層１２に使用される改質触媒は、酸化発熱層１２に導かれた改質ガス中に残存するメタン及び／又はＣ２＋成分（炭素数２以上の成分）の改質を更に進めるためのものであり、この改質のための吸熱は、混合された酸化触媒によって促進される酸化反応の発熱から直接賄われ、あたかも改質と酸化とが同時に進行する状態が作りだされる。
【００３４】
また、上記酸化発熱層１２には、第二に、酸化触媒と伝熱粒子との混合物を充填することが可能である。酸化発熱層１２は、酸化性ガスの噴出し口の直下付近が一番高温になり易く、下流にいくに従い温度が低下する。そこで、酸化発熱層１２に、一部伝熱粒子を使用することで、酸化発熱層１２の上流側と下流側との温度差を低減することができる。ここで、伝熱粒子は、酸化反応によって発生した熱を酸化発熱層１２全体に伝熱するものであり、これにより酸化発熱層１２と隣り合う内側改質層１１Ａ及び外側改質層１１Ｂの上流側において、管状の隔壁１５Ａ，１５Ｂを通しての伝熱量が大きくなり、内側改質層１１Ａ及び外側改質層１１Ｂの上流と下流との温度差を小さくすることが可能となる。
【００３５】
更に、上記酸化発熱層１２には、第三に、酸化触媒と改質触媒と伝熱粒子との混合物を充填することが可能である。この場合、酸化発熱層１２は、上述した第一の場合、第二の場合の作用を同時に発揮する。
【００３６】
上記酸化発熱層１２に用いる改質触媒としては、上記改質層１１に用いる改質触媒を使用することも可能であるが、酸化発熱層１２が酸化雰囲気にあることから、Ｎｉ、Ｒｈを単独または複数で担持した触媒が好適である。また、上記酸化発熱層１２に用いる伝熱粒子の材質は、特に規定されないが、熱伝導度の高いものほど好ましく、ポーラス状の炭化珪素粒子が好適である。
【００３７】
酸化性ガス噴出し用の管状リング２２及び酸化発熱物質噴出し用の管状リング２５の設置位置は、酸化発熱層１２内の比較的上部が好ましいが、特に限定されるものではなく、ガスの流れ及び伝熱の方向を考慮すると、内側改質層１１Ａ及び外側改質層１１Ｂより高い位置が好ましい。また、管状リング２２，２５の上下には、同一の混合物を充填することが可能であるが、異なったものを充填することも可能である。
【００３８】
酸化発熱層１２に酸化性ガス噴出し用の管状リング２２から供給される酸化性ガスの量は、改質原料の種類によっても異なるが、酸素／炭素の比（Ｏ2／Ｃ）＝０.１〜０.５程度が好適である。これにより、酸化発熱層１２の最高温部が６５０〜８５０℃程度となる。従って、該酸化自己熱型改質装置には、特段高価な材質を使用する必要がない。
【００３９】
酸化発熱層１２で部分的に酸化及び／又は改質が進行した改質ガスは、仕切り受け１８Ｂを通過して、改質ガス流路２９に導かれ、改質ガス排出管１７から排出される。その後、排出された改質ガスは、そのまま固体酸化物形燃料電池２に供給することが可能である。
【００４０】
また、本発明の酸化自己熱型改質装置においては、起動時において、図２中の酸化発熱層１２に酸化性ガス導入ライン２１を介して酸素を含む酸化性ガスを導入すると共に、酸化発熱層１２に酸化発熱物質導入ライン２４を介して酸化反応により発熱する物質を導入し、部分酸化反応させることで、水素及び／又は一酸化炭素を含むガスを生成及び／又は残存させることができる。ここで、酸化発熱層１２における部分酸化反応で発生する酸化熱によって、改質層１１が加熱され、改質原料と水蒸気との混合物の改質反応が可能となる温度以上に改質層１１を昇温することができる。また、本発明の酸化自己熱型改質装置によれば、部分酸化反応により、水素及び／又は一酸化炭素を含むガスを生成及び／又は残存させることができるため、仕切り受け１８Ｂを通過して改質ガス流路２９に導かれ改質ガス排出管１７から排出されるガスに、水素及び／又は一酸化炭素を含ませることができる。そのため、本発明の酸化自己熱型改質装置を用い、起動時において、改質ガス排出管１７から排出されるガスに水素及び／又は一酸化炭素を含ませるることで、改質ガス排出管１７から排出されるガスをアノード電極側に直接供給しても、アノード電極側を還元雰囲気に維持することが可能であり、固体酸化物形燃料電池２の性能劣化を抑制することができる。
【００４１】
なお、図２〜図４に示す例では、改質装置の下部から原料ガスを導入し、改質装置の上部から酸化性ガス及び酸化発熱物質を別個に導入し、改質装置の下部から改質ガスを排出したが、本発明の酸化自己熱型改質装置は、これに限られるものではなく、例えば、改質装置の上部から原料ガスを導入し、改質装置の下部から酸化性ガス及び酸化発熱物質を別個に導入し、改質装置の上部から改質ガスを排出する構成とすることもできる。
【図面の簡単な説明】
【００４２】
【図１】本発明の酸化自己熱型改質装置を備えた固体酸化物形燃料電池システムの一例の概略図である。
【図２】本発明の酸化自己熱型改質装置の一例の概略図である。
【図３】図２のIII−III線に沿う断面図である。
【図４】図２のIV−IV線に沿う断面図である。
【符号の説明】
【００４３】
１  酸化自己熱型改質装置
１Ａ  改質部
１Ｂ  酸化発熱部
２  固体酸化物形燃料電池
３  原料導入ライン
４，２１  酸化性ガス導入ライン
５  アノード燃料導入ライン
６  カソード空気導入ライン
７  アノード排ガス出口
８  カソード排ガス出口
９，２４  酸化発熱物質導入ライン
１０  酸化自己熱型改質装置
１１  改質層
１１Ａ  内側改質層
１１Ｂ  外側改質層
１２  酸化発熱層
１３  内筒
１４  外筒
１５  管状隔壁
１５Ａ  半径方向内側の隔壁
１５Ｂ  半径方向外側の隔壁
１６  原料導入管
１７  改質ガス排出管
１８Ａ，１８Ｂ，１８Ｃ  仕切り受け
１９  隔壁
２０  開口
２２，２５  管状リング
２３  酸化性ガス噴出し口
２６  酸化発熱物質噴出し口
２７  原料ガス流路
２８，２９  改質ガス流路
【図１】
0005231857.tif 000002
【図２】
0005231857.tif 000003
【図３】
0005231857.tif 000004
【図４】
0005231857.tif 000005